(57)【要約】  【課題】  完成品の大きさや形にばらつきの生じないタオル製装飾品の製造方法及びそれにより形成されたタオル製装飾品を提供する。  【解決手段】ケーキ形状を形成する骨格となる台紙３を重ねてタオル地２を折り畳むことを特徴とするケーキ型タオル装飾品の製造方法であり、より具体的には、多角形状の頂面部６の各片に折り畳み部７を延設してなる台紙３を、該台紙３より大きいタオル地２内に収まるように配置し、前記頂面部６が頂面側に成るように、前記タオル地２と共に前記折り畳み部７を折り返したものを、開口部が前記頂面部と同形状のケーキカップ４に入れ、ケーキ形状に形成する。  【選択図】  図１
2006187333.tif 000002
【特許請求の範囲】
【請求項１】
タオル地にケーキ形状を形成する骨格となる台紙を重ねて、タオル地を折り畳むことを特徴とするケーキ型タオル装飾品の製造方法。
【請求項２】
多角形状の頂面部の各片に折り畳み部を延設してなる台紙を、該台紙より大きいタオル地内に収まるように配置し、前記頂面部が頂面側になるように、前記タオル地と共に前記折り畳み部を折り返したものを、開口部が前記頂面部と同形状のケーキカップに入れ、ケーキ形状に形成することを特徴とするケーキ型タオル製装飾品の製造方法
【請求項３】
矩形状からなる台紙をタオル地に配置し、少なくとも台紙の長辺側に沿ってタオル地を内側に折り畳んだ後、前記台紙の短辺側からタオルと共にロール状に巻き上げて、ロールケーキ状に形成したことを特徴とする請求項１記載のケーキ型タオル装飾品の製造方法。
【発明の詳細な説明】
【技術分野】
【０００１】
本発明は、タオル製の装飾品、特にケーキ形状に酷似したタオル製装飾品の製造方法及びそれにより形成されたケーキ型タオル装飾品に関する。
【背景技術】
【０００２】
従来、贈答用品等のタオルは、折りたたみ方や配列の仕方を工夫して収納箱に入れ、収容箱の表面側は透明フィルムを用いて内容物を透視できるようにし、看者の購買意欲を高める工夫がされていた。中にはタオルの風合い、厚み及び柔軟さなどの特性に着目し、タオルを逢着したり、ピンで留めるなどして、動物のぬいぐるみや人形体に形成し、専ら観賞用に供されるものも現れている。
【０００３】
また、タオルよるケーキ形状の飾り物としては、一部知られているものもあるが、ロールケーキ状に折り畳んだものや、その全体を容器で包装したものがある（例えば、特許文献１、２、３参照）。
【０００４】
【特許文献１】実開平３−３９４８８号公報
【特許文献２】実開平３−２２７９５号公報
【特許文献３】実開平３−２２７９６号公報
【発明の開示】
【発明が解決しようとする課題】
【０００５】
しかしながら、タオルの折り畳み過程は、人の手によって行われるのがほとんどであり、元のタオルの大きさは同じであっても、力の入れ加減等の差により、ケーキの大きさや形にばらつきが生じてしまう。
【０００６】
本発明は、上記課題に鑑み、完成品の大きさや形にばらつきの生じないタオル製装飾品の製造方法及びそれにより形成されたタオル製装飾品を提供することを目的とする。
【課題を解決するための手段】
【０００７】
上記目的を達成するため、本発明は、ケーキ形状を形成する骨格となる台紙を重ねてタオル地を折り畳むことにより、タオル地をケーキ形状に形成することを特徴とするケーキ型タオル装飾品の製造方法である。台紙は、一定の大きさ及び形のケーキ形状を形成する型紙となるので、これに沿ってタオル地を折り畳むことにより、完成するケーキの大きさ及び形が均一となる。したがって、誰が製造しても大きさ及び形にばらつきが生じず、大人数体制による大量生産が可能となる。
【０００８】
なお、タオル地の材質はパイル織物等のタオル地であれば特に限定されないが、材質としては綿が好ましい。また、台紙の素材は、型紙としてのある程度の強度を備えているものが好ましく、これに限定されるものではないが、厚紙、プラスチック、ダンボール紙等が挙げられる。なお、取り扱いのしやすさ上、タオル地としては厚紙が好ましい。
【０００９】
また、ケーキ形状は、平面視が三角形、四角形又は円形等のケーキや、ロールケーキ等が挙げられるが、これらに限定されるものではない。
【００１０】
三角形のショートケーキ状に形成する場合は、多角形状の頂面部の各片に折り畳み部を延設してなる台紙を、該台紙より大きいタオル地内に収まるように配置し、頂面部が頂面側になるように、タオル地と共に折り畳み部を折り返したものを、開口部が頂面部と同形状のケーキカップに入れ、ケーキ形状に形成すればよい。
【００１１】
また、ロールケーキ状に形成する場合は、矩形状からなる台紙をタオル地に配置し、少なくとも台紙の長辺側に沿ってタオル地を内側に折り畳んだ後、台紙の短辺側からタオルと共に全体をロール状に巻き上げて、ロールケーキ状に形成すればよい。
【００１２】
上記の方法により形成されたケーキ型タオル装飾品は、形成する人の力の入れ加減に左右されることなく、ほぼ同じ大きさで同じ形の完成品に仕上がる。
【００１３】
ケーキカップは、容器状に形成され、タオル地と台紙により形成されたケーキと同形状で、ちょうどケーキがはまる程度の大きさに形成される。カップの材質は特に限定されないが、紙製或いはプラスチック製が好ましく、特に実用ケーキのカップ材料として使われる紙製或いはプラスチック製のものがより好ましい。また、ケーキカップの色は、有色であっても無色であってもよいし、透明又は半透明であってもよい。また、カップ壁に襞等をつけて装飾してもよいのは、もちろんである。ケーキカップに収容することにより、より、ケーキの外観に近づけることができる。
【００１４】
さらに、ケーキの上に飾り物を配置してもよい。飾り物としては、イチゴ、サクランボなどの果物や葉、花などの植物の実物又は模造品や、リボン等が例示できる。より一層、ケーキの外観に近づけることができる。さらにケーキ全体を透明フィルムで包装すれば、プレゼント用に好適である。
【発明の効果】
【００１５】
本発明によれば、台紙が型紙になるので、ケーキの大きさが均一となる。したがって、完成品の大きさ及び形にばらつきの生じないタオル製装飾品の製造方法及びそれにより形成されたタオル製装飾品を提供することができる。
【００１６】
また、タオル地の風合い、膨らみ、柔軟性などがよって一見恰もカップ付きの実物ケーキの様子を呈するので、ケーキ型の愛らしい姿で人目を引き、ギフトやプレゼントにピッタリの贈答品やインテリアとしての装飾品に用いることができる。また、カップから取り出せば、タオル地は展開して元の形状に復帰するので、そのままタオルとして使うことも可能であるし、飾り物もそのまま他の用途に使用できる。
【発明を実施するための最良の形態】
【００１７】
本発明を実施するための形態は次の通りであるが、これらは本発明を実施するための形態の一例に過ぎず、本発明はこれらの実施の形態に限定されるものではない。
【００１８】
＜第１の実施の形態＞
図１（ａ）は本発明に係るタオル製装飾品の一例であり、三角形状のショートケーキ形状に形成したタオル製装飾品の斜視図であり、（ｂ）はこれを透明フィルムの袋に挿入して包装し、挿入口付近をリボン紐等で縛り、包装品として完成させたものである。図２は第1の実施形態のタオル製装飾品の製造過程を示す図である。
【００１９】
本タオル製装飾品は、タオル地２とタオル地２の型紙となる台紙３とからなるケーキ体１と、ケーキ体１を収容するケーキカップ４とから構成される。さらに、ケーキ体１の上に装飾として飾り物５も設けてもよい。ケーキ体１は、タオル地２に台紙３を重ねてケーキ形状に折り畳むことにより形成される。
【００２０】
タオル地２は、図２に示すように、正四角形状であるが、これに限定されるものではなく、長方形、三角形等いずれの形でも構わない。台紙３沿って折り畳めば、一定の大きさ、形に整えることができるからである。タオル地２の大きさは、展開した台紙３よりも大きければよい。また、タオル地２の色は、実物ケーキの色や大きさに合わせて適宜調整すればよい。例えば、白いホイップクリームのケーキの場合は白色、チョコレートケーキの場合はチョコレート色（茶色）、キャラメルケーキの場合はキャラメル色とすればよい。
【００２１】
台紙３は、図２に示すように、ケーキ体１の頂面の骨格を形成する多角形状の頂面部６と、頂面部６の各辺から延設してなり、ケーキ体１の側面の骨格を形成する折り畳み部７とから構成される。折り畳み部７を折り曲げやすくするために、折り畳み部５と頂面部６との境に、スリット等を施しておくとよい。台紙３の材質としては、これに限定されるものではないが、厚紙とされる。
【００２２】
ケーキカップ４は、合成樹脂製の半透明で、平面視三角形の容器状に形成される。その大きさは、ケーキ体１の三角形のショートケーキ形状よりもやや大きく、かつフィットするように形成される。また、ケーキ体１の頂面側がケーキカップ４の上端よりも飛び出したはみ出し部分が形成されるように、ケーキカップ３の高さをケーキ体１の高さよりも低く設定するのが好ましい。
【００２３】
飾り物５は、葉っぱ形状に形成され、裏面にマグネット（図示せず）が固着されている。本ケーキ型タオル製品の解体後もマグネットとして、再利用できるメリットがある。
【００２４】
タオル製装飾品の製造方法を説明する。まず、正四角形状のタオル地２を広げ、その内面にタオル地２内に収まるように台紙３を置く（図２（ａ））。このとき、タオル地２に対して台紙３を斜めに置くのが好ましい。詳しくは、正四角形状のタオル地２の対角線上と、頂面部６の三角形の頂点から底面に垂直に下ろした線とが、ほぼ重なるように置く。このように置けば、後述するタオル地２の折り畳み時に、タオル地２の四角形の隅を内側へ折り畳みやすくなる。
【００２５】
次に、タオル地２を台紙３の縁に沿って内側に折り畳む（図２（ｂ））。このとき、折り畳み部７と折り畳み部７との間の部分は入り込んでいて折り畳みにくいのでそのままにしておく。
【００２６】
そして、折り畳み部７を頂面部６との境の折り曲げ線に沿って折り曲げて立設させ、それと同時に、折り畳み部７と折り畳み部７との間のタオル地２を内側に押し込むことにより（図２（ｃ））、頂面部６側がケーキ体１の頂面となるケーキ体１を形成する。その後、そのケーキ体１を三角形状のケーキカップ４に詰め込むことにより、タオル製装飾品が完成する（図１（ａ））。タオル地２と台紙３とにより形成される。このとき、ケーキカップ４の高さがケーキ体１の高さよりも低いので、ケーキ体１がケーキカップ４から上方に飛び出してはみ出し部分が形成される。
【００２７】
以上で終了としてもよいが、さらに、ケーキ体１の頂面側に、葉の形をした飾り物５を載せ、ポリプロピレン製の透明フィルム８に入れ、透明フィルム８の開口を装飾用針金などの塑性物（図示せず）で挿入口を縛る共にリボン９及びタグ１０を配置する。
【００２８】
このように台紙３を用いてケーキ形状に形成すると、完成品の大きさや形を統一することができる。また、恰も本物と見間違うような美麗で美味しそうに見えるタオル製装飾品となる。
【００２９】
＜第２の実施形態＞
図３（ａ）は本発明に係るロールケーキ形状のケーキ型タオル製装飾品の斜視図であり、図３（ｂ）はリボンで結ぶと共にさくらんぼの形の飾り物をのせ、これを透明フィルムの袋に挿入して包装し、透明フィルムの挿入口付近をリボン紐等で縛り、包装品として完成させたものである。図４は第２の実施形態のタオル製装飾品の製造過程を示す図である。タオル地２、台紙３等の材質は第１の実施形態と同様である。
【００３０】
本タオル製装飾品は、タオル地２とタオル地２の型紙となる台紙３とからなるケーキ体１と、ケーキ体１を載置するケーキ受け１０とから構成される。さらに、装飾として、飾り物５も設けられる。
【００３１】
タオル地２は、長方形であるが、これに限定されるものではなく、正方形、三角形等いずれの形でも構わない。台紙３により一定の大きさ、形に整えることができるからである。また、台紙３は、長方形に形成され、その材質としては、これに限定されるものではないが、厚紙とされる。ケーキ受け１０は、長方形の厚紙の両端が折曲されており、その間にロールケーキを置くことができる。
【００３２】
飾り物５は、さくらんぼ状に形成され、裏面にマグネット（図示せず）が固着されているものと４ａ、ロールケーキの周囲をくくるリボン４ｂとからなる。リボン４ｂは、装飾的効果とともに、ロールケーキのロール状態がゆるむのを防止することもできる。したがって、リボン以外にも、ロールケーキの周囲を固定することのできるものであれば、輪ゴム等他の材料を使用してもよい。
【００３３】
タオル製装飾品の製造方法を説明する。まず、タオル地２が大きい場合は一度半分に折り畳む（図４（ａ））。そして、タオル地２内に収まるように、真ん中に台紙３を置き、台紙３の左右縁に沿ってタオル地２を内側に折り畳む。そして、タオル地２の上下辺の一方から他方に向けて、台紙３とタオルとを共に渦巻状に巻き上げることにより、ロールケーキの形状のケーキ体１を完成する。このケーキ体１をケーキ受け１０に載置することにより、本タオル製装飾品が完成する。これで終了としてもよいが、さらに、ケーキ体１とケーキ受け１０とを一緒にリボン４ｂでくくると共に、さくらんぼ型の飾り物５ａを置き、さらにこれをポリプロピレン製の透明フィルム８に入れ、開口を装飾用針金などの塑性物で挿入口を縛る共にリボン９及びタグ１０を配置する。
【００３４】
上記のように形成すると、台紙３に強度があるため、渦巻きの度合いがほぼ一定となる。したがって、完成品の大きさや形を統一することができる。また、恰も本物と見間違うような美麗で美味しそうに見えるタオル製装飾品となる。
【図面の簡単な説明】
【００３５】
【図１】（ａ）は第1の実施形態のタオル製装飾品の斜視図、（ｂ）は（ａ）を透明フィルムの袋に挿入して包装し、包装品として完成させたものの斜視図
【図２】第1の実施形態のタオル製装飾品の製造過程を示す図
【図３】（ａ）は第２の実施形態のタオル製装飾品の斜視図、（ｂ）は（ａ）を透明フィルムの袋に挿入して包装し、包装品として完成させたものの斜視図
【図４】第２の実施形態のタオル製装飾品の製造過程を示す図
【符号の説明】
【００３６】
１    ケーキ体
２    タオル地
３    台紙
４    ケーキカップ
５    飾り物
６    頂面部
７    折り畳み部
【図１】
2006187333.tif 000003
【図２】
2006187333.tif 000004
【図３】
2006187333.tif 000005
【図４】
2006187333.tif 000006